(57)【要約】      （修正有）【課題】自転車、バイク、軽車輌等の駐車スペ−ス内での、二段式ラックによる効率的駐車法や収納法と、それの操作の簡便さと安全性を追求した移動積上げラックを提供する。【解決手段】従来の２段式積載ラックは、スライド式や半持ち上げ式であって、操作上、非力の者にとっては困難であったため、支柱を回転リンク式として、小力でしかもガタつきやブレを軽減し、ガイド棒Ｅを設けて安全性を高めた。又、安全フックの掛け忘れがあっても落下しないよう前輪側を８０ｍｍ〜１００ｍｍ位枠内に入れて倒れを防ぎ、後輪側に安全後方ストップ板Ｃを設け、前輪と同時に作動する様にした。これにより、安全フック等の掛け忘れがあっても、上方移動時に前後の輪が固定されるため、落下しない。【選択図】図３
0003108653.tif 000002
【実用新案登録請求の範囲】
【請求項１】
２本（重量物では３本以上）の回転移動する支柱上に設けたラックに移動物を置いて、上方に持ち上げ保管するもの。当然積み上げた下の部分は確保される。
【請求項２】
この支柱は平行回転移動をするものの、片方の取り付け位置をずらし、下降時には、片方を持ち上げ、片方は床に着くようにした。
【請求項３】
積み上げ時に、前輪が前方の格納底板に接触すると、リンク式で後方の移動ストッパ−が同時に作動する。
【考案の詳細な説明】
【技術分野】
【０００１】本考案は、回転移動物（自転車、バイク、軽車輌等）を上方に積み上げて２段とし、下方スペ−スを確保する為に考案した。
【従来の技術分野】
【０００２】従来の二段式積立ラックにあっては、積み立て物を半分位持ち上げなくてはならず、女子子供等には危険で難しかった。又、上方積み上げ時にかなりの力を要し落下防止等がついていても、落下をしてけがをすることがあった。（安全フック欠け忘れ等によるもの。）
【考案が解決しようとする課題】
【０００３】従来の技術分野でも述べたが、安全フックを欠け忘れても安全で小力で積み上げる事が出来る積み上げラックを考案した。
【課題を解決するための手段】
【０００４】ラックを持ち上げる機構を回転リンク体とし平行移動しながら降下する。さらに、それを支える支柱の取り付け位置をずらして、斜め状態で着床するようにした。これにより移動物を持ち上げずに、スム−ズに装着することが出来る。
【０００５】従来の物は、安全フック欠け忘れがあっても積み上げる事が出来、これにより落下する事もあるが、本考案は、前方ストップ板Ａの下方に係する前方底板Ｂに接触するとテコを応用したリンク機構により、後方ストップ板Ｃが同時に作動し、移動物を固定する。又、前方底板上は深さ８０ｍｍ位の溝になっており、装置した時に前輪は固定される。後方ストップ板が作動する時、前方底板の接触距離８０ｍｍ位の中で、最後の２０ｍｍで作動する。
【０００６】回転機能を有する支柱Ｄの両端はベアリング等の装着によりガタつかず、支柱がスライド移動しないためスム−ズに上方に持ち上げられる。その際２本のガイド棒Ｅ内を移動するため、左右にブレる事がない。又、ガイド棒前方に設けたダンパ−Ｆ等（スプリング式も有り）により、小力でゆっくりと移動する。
【０００７】上方積み上ラックＧは、下部に後方ストップ板を作用させるリンク機構を内包し、カバ−で防護されているため、雨、水等に変化しない。
【０００８】支柱の両方を円弧状にし、ハンドル等の接触を出来るだけ少なくし、接地スペ−スを少なくした。
【考案を実施するための最良の形態】
【０００９】本考案を図面に基づいて説明する。図１は正面図である。図２は側面図である。図３は立体図である。図３を例に自転車を積載するものとして説明する。前方ストップ板に接触して上方積載ラックＧ上の前輪が溝内を通り格納されると、格納底板Ｂが下方に下がり、テコを利用したリンクにより後方ストップ板が上方に起き上がり、後輪を固定する。【００１０】車輪が固定された事を確認後、後方ストップ板Ｃに係した移動持ち上げフックＫを上方に持ち上げながら前方へ押すと、支柱ストップボルトＩにぶつかり止まる。その時、後方支柱側の２本のガイド棒上の移動固定フックＯをセットして積み上げ完了。下方固定板上には他のものを置いたままで良い。【００１１】今度は、積下す事を説明する。ＯのフックをはずしてＫのフックをつかみながら後方に下げる。そして、前輪を２０ｍｍ持ち上げれば後方ストップ板がはずれるので持ち上げながら後方へ移動し、ラックより取り去り完了。
【本案の効果】
【００１２】以上述べた様に、簡単に積上げ積下しが楽に出来、設置スペ−スも少なくてすみ、自転車やバイク等の駐車難緩和に役立つ。しかも、それぞれがラック内の格納溝に収納されているので、倒れる事がなく安全である。もう１点、非常に小さな力で持ち上げ下げが出来る上、作業時にラックが揺れたりブレたりする事が無いため安心して積上げ下げができ、ストッパ−解除の忘れ等も心配なしで、安全に作業できる。
【図面の簡単な説明】Ａ．前、ストップ板    Ｂ．格納底板    Ｃ．後、ストップ板Ｄ．回転リンク支柱    Ｅ．ガイド棒    Ｆ．ダンパ−Ｇ．上方積載ラック    Ｈ．下方固定ラック    Ｉ．前方支柱ストップボルトＪ．上方ラック高さ調整ボルト    Ｋ．移動持ち上げフックＯ．移動固定フック
【図１】
0003108653.tif 000003
【図２】
0003108653.tif 000004
【図３】
0003108653.tif 000005
【手続補正書】
【提出日】平成15年11月13日(2003.11.13)
【手続補正１】
【補正対象書類名】実用新案登録請求の範囲
【補正対象項目名】補正の内容のとおり
【補正方法】変更
【補正の内容】
0003108653.tif 000006
0003108653.tif 000007
0003108653.tif 000008
0003108653.tif 000009
0003108653.tif 000010
0003108653.tif 000011
0003108653.tif 000012
0003108653.tif 000013
【手続補正書】
【提出日】平成16年3月13日(2004.3.13)
【手続補正１】
【補正対象書類名】実用新案登録請求の範囲
【補正対象項目名】全文
【補正方法】変更
【補正の内容】
【実用新案登録請求の範囲】
【請求項１】
アンカーで固定したベースＫに保持された二本又は四本のアームＡ，Ａ”に連結して上下動する積み上げラックＣは、上下四枚の横筋板Ａ１と半回転するくの字形てこ棒Ａ２により、後方に押されながら上方へ持ち上がる、てこリンク機構を有する移動物積み上げラックであり、その機能は、積み上げラックＣに移動物を置いて、フックＤで固定後、油圧シリンダーにより、この字形てこ棒Ａ２と四枚のリンク板Ａ１のリンク機構により拡大して上昇する様にした、てこリンク機構を有した移動物積み上げラックである。
【請求項２】
ダンバを併用するシリンダーＥの動力源の手動式ポンプにより、てことリンクの応用で拡大して、少ないシリンダーストロークで大きな上昇移動を可能にしており，また別添のリリーフ弁を設置し、上昇、下降が手元で行なえる様にした請求項１．記載の、てこ、リンク機構を有する移動物積み上げラックである。
【請求項３】
この機構は自由に変化させることが可能であり、アームＡ，Ａ”は、ベースＫに平行に取り付けることと並列に取り付けることがあるので、その積み上げ物によって取り付け方を変える事が出来、アームの数も重量物においては四本になり、リンク板も数を多くして移動高さを大きくすることが出来る様にした請求項１．記載の、てこ、リンク機構を有した移動物積み上げラックである。
【手続補正２】
【補正対象書類名】明細書
【補正対象項目名】全文
【補正方法】変更
【補正の内容】
【考案の詳細な説明】
【技術分野】
【０００１】本考案は、自転車、バイク、軽台車等を上下に積み上げて２段とし、下方スペースを確保するために考案した。
【従来の技術分野】
【０００２】従来の２段式積み立てラックにあっては、積み立て物を半分位持ち上げなくてはならず、女性や子供等には危険で難しく、上方積み上げ時にかなりの力を要し、落下防止装置が着いていても、落下して怪我をすることがあった。
【考案が解決しようとする課題】
【０００３】従来の技術分野でも述べたが、安全フックを掛け忘れても安全で小力で多くの物を配列して積み上げる事が出来、下方にスペースを取れる積み上げラックを考案した。
【課題を解決するための手段】
【０００４】安全の為に、アームに連結した固定フックＤ，Ｄ”をかけなければ、積載物が倒れて持ち上がらない様にした。
【０００５】回転機能を有するアームＡ，Ａ”の両端に、ベアリング等の装置によりガタつかず、アームＡ，Ａ”がスライド移動しないためスムーズに上方に持ち上げられ、動力源の油圧シリンダーにより、小力でゆっくりと移動する様にした。
【０００６】安全のためにダンパ付油圧シリンダーによりアームが自由移動しないようにして、油圧シリンダー作動用ポンプ棒上に、ホースの長さを自由に変えることが出来るリリーフ弁を設けて手元で上昇下降を操作できる様にした。
【０００７】ラックを持ち上げる機構を回転リンク体とし、前傾斜させ移動物の上げ下ろしを楽にして、くの字形てこ棒Ａ２と上下拡大移動する横筋板Ａ１を組み合わせて、容易に上昇することが出来る様にした。
【考案を実施するための最良の形態】
【０００８】本考案を図面に基づいて説明する。図１は、自転車を持ち上げた時と同状態の正面図である。図２は、自転車を持ち上げる前の、自転車を取り去った状態を示す側面図である。図３は、立体上部後方へ持ち上げた状態の立体図である。図４は、正面図、ベースに対してアームを並列に配置した図である。  図２の側面図を例に自転車を積載するものとして説明する。  上方積載ラックＣ上の前輪が構内を通り格納し固定フックＤ，Ｄ”を自転車のハンドルとサドル下のフレーム等に巻き付けて固定して、ダンパ併用シリンダーを作動、させると、テコを利用したリンクにより後方に持ち上がりながら移動する。【０００９】今度は、積下ろす事を説明する。Ｇのフックを外してシリンダーＥのリリーフバルブを緩めるとゆっくりと下がり、固定フックＤ，Ｄ”を自転車より取り去り完了する。
【本考案の効果】
【００１０】以上述べたように、簡単に積み上げ積み下ろしが楽に出来、設置スペースも少なくてすみ、自転車やバイク等の駐車難緩和に役立つ。
【００１１】固定フックを掛けなければ持ち上がらない様にされているので、倒れる事がなく安全である。
【００１２】非常に小さい力で持ち上げ、下げが出来るうえに作業時にラックが揺れたりブレたりすることがないために安心して積み上げ下げが出来、ストッパー解除の忘れ等も心配なしで、安全に作業ができる。
【００１３】この考案は、物を高所に置くための上げ下ろし作業を容易にすることが出来る。
【図面の簡単な説明】
【００１４】  ここでは自転車を積み上げるものとして説明する。【図１】・積み上げた状態の正面図である。
【図２】・積み上げる前の側面図である。
【図３】・積み上げた状態の立体図である。
【図４】・アームＡ”二本をベースＫに対して並列に配して積み上げた立体図である。
【図面の簡単な説明】Ａ  ．アーム                      Ｄ  ．積載物固定ラックＡ”．アーム                      Ｄ”．積載物固定フックＡ１．平行上上動横筋板            Ｅ  ．油圧シリンダーＡ２．くの字形てこ棒              Ｇ  ．くの字形てこ棒Ｃ、．積載用ラック                Ｈ  ．レール                                  Ｋ  ．アーム保持台
【手続補正３】
【補正対象書類名】図面
【補正対象項目名】全図
【補正方法】変更
【補正の内容】
【書類名】図面    【図１】0003108653.tif 000014
【図２】0003108653.tif 000015
【図３】0003108653.tif 000016
【図４】0003108653.tif 000017